(57)【要約】【課題】上肢障害者、視覚障害者等のキーボード・オンリー・ユーザに対しても操作性のよい動画映像再生装置の提供を可能とすることを目的としている。【解決手段】キーボード上の所定のキーをＡＶ機器の操作ボタンと１対１に対応付け、事象入力装置からマウス移動事象、キーボード操作事象、ユーザ・インタフェース・オブジェクト操作事象を含む事象入力情報を取得し、キーボード操作事象をマウス移動事象、またはユーザ・インタフェース・オブジェクト操作事象に変換し、マウス移動事象、またはユーザ・インタフェース・オブジェクト操作事象を、前記事象情報と各事象に対応した処理を行うステップとの対応付けに基づき、前記事象入力情報で指示された事象の処理を行うステップを呼び出すことにより、キーボードからワンタッチでＡＶ機器のボタン操作相当の入力を可能とする。【選択図】      図１
2004348244.tif 000002
【特許請求の範囲】
【請求項１】
事象入力装置からマウス移動事象、キーボード操作事象、ユーザ・インタフェース・オブジェクト操作事象を含む事象入力情報を取得する事象取得手段と、
事象毎に対応した処理を行う事象処理手段と
ＡＶ機器の操作ボタンと１対１に対応付けたキーボード操作事象をマウス移動事象、またはユーザ・インタフェース・オブジェクト操作事象に変換する事象変換手段と、
前記マウス移動事象、またはユーザ・インタフェース・オブジェクト操作事象を、前記事象情報と各事象に対応した処理を行うステップとの対応付けに基づき、前記事象入力情報で指示された事象の処理を行う事象処理手段を呼び出す事象識別手段と、
してコンピュータを機能させる動画映像再生プログラム。
【請求項２】
１打鍵で処理を起動する処理ルーチンをキーボード上の機能キーに対して設定したディスパッチテーブルを備え、
キー入力されると前記ディスパッチテーブルを検索し、該当するキーが登録されていた場合には該当する処理ルーチンを実行する事象処理手段と、
してコンピュータを機能させる画像または音声データ再生プログラム。
【請求項３】
前記ディスパッチテーブルに登録する処理ルーチンは、前記機能キーの刻印の語義と近い処理内容の処理ルーチンを設定することを特徴とする請求項２記載の画像または音声データ再生プログラム。
【請求項４】
事象入力装置からマウス移動事象、キーボード操作事象、ユーザ・インタフェース・オブジェクト操作事象を含む事象入力情報を取得する事象取得手段と、
事象毎に対応した処理行う事象処理手段と
ＡＶ機器の操作ボタンと１対１に対応付けたキーボード操作事象をマウス移動事象、またはユーザ・インタフェース・オブジェクト操作事象に変換する事象変換手段と、
前記マウス移動事象、またはユーザ・インタフェース・オブジェクト操作事象を、前記事象情報と各事象に対応した処理を行うステップとの対応付けに基づき、前記事象入力情報で指示された事象の処理を行う事象処理手段を呼び出す事象識別手段と、
を有することを特徴とする動画映像再生装置。
【請求項５】
事象入力装置からマウス移動事象、キーボード操作事象、ユーザ・インタフェース・オブジェクト操作事象を含む事象入力情報を取得する事象取得手段と、
事象毎に対応した処理行う事象処理手段と
ＡＶ機器の操作ボタンと１対１に対応付けたキーボード操作事象をマウス移動事象、またはユーザ・インタフェース・オブジェクト操作事象に変換する事象変換手段と、
前記マウス移動事象、またはユーザ・インタフェース・オブジェクト操作事象を、前記事象情報と各事象に対応した処理を行うステップとの対応付けに基づき、前記事象入力情報で指示された事象の処理を行う事象処理手段を呼び出す事象識別手段と、
してコンピュータを機能させる動画映像再生プログラムを記録したコンピュータ読み取り可能な記録媒体。
【発明の詳細な説明】
【０００１】
【発明の属する技術分野】
本発明は、動画映像や音声再生ソフトウェアの操作に関し、特に主要な機能の全てをキーボード上に装備されている標準キーの単独押下により実現し、動画映像の操作の利便性を向上させる技術に関する。
【０００２】
【従来の技術】
ビデオデッキ等のＡＶ機器向け操作ボタンには、ＪＩＳ  、ＩＳＯ  等が定めるＡＶ機器制御用の標準図記号が規格化されており、各種ボタン類にはこの図記号が万国共通、かつ標準的に刻印されている。また、ボタン類での制御が困難なアナログ数値入力スイッチとしてはダイアルや、スライダー・スイッチが一般に広く装備されてきた。
【０００３】
一方、コンピュータを操作する為の標準入力デバイスとしては、キーボード、マウスがあるが、これらはコンピュータが当初、主として文字情報を取り扱う機器として発展してきた経緯から、必ずしもＡＶメディアを制御する目的で設計されておらず、キーボード上の刻印はＡＶ制御用図記号が刻印されたキーを完全には装備しておらず、また、ダイアルやスライダー・スイッチも標準装備されていないのが現状である。
【０００４】
以上の理由により、従来の動画映像再生ソフトウェア・メーカーでは、｛Ｃｔｒｌ＋  アルファベット１文字｝によるニモニック・キー操作と呼ばれる代替操作方法を提供して、キーボード上に存在しない刻印の制御用図記号ボタンの代わりとしてきた。また、画面上では、ＧＵＩ（Ｇｒａｐｈｉｃａｌ  Ｕｓｅｒ  Ｉｎｔｅｒｆａｃｅ）を駆使してスライダー・スイッチを表示し、マウスによる直接操作（Ｄｉｒｅｃｔ  Ｍａｎｉｐｕｌａｔｉｏｎ  ）による操作手段を提供してきた。更に、マウスが使えない利用者のためにはニーモニック・キー操作やファンクション・キーによる代替操作を提供してきた。
【０００５】
以下は、従来のショートカット・キーの割り付け例である。一般的には、ＣｔｒｌキーやＡｌｔ  キーと、操作指令の頭文字を組み合わせたものがよく使用されている。
再生開始／一時停止      Ｃｔｒｌ＋Ｐ
早送り                  Ｃｔｒｌ＋Ｆ
巻き戻し                Ｃｔｒｌ＋Ｗ
停止                    Ｃｔｒｌ＋Ｓ
始めに戻る              Ｃｔｒｌ＋Ｒ
次のシーン              Ｃｔｒｌ＋Ｎ
前のシーン              Ｃｔｒｌ＋Ｂ
音量を上げる            Ｆ１０
音量を下げる            Ｆ９
ミュートのオン／オフ    Ｆ８
以上のような、不便さを解決するために、楽譜編集機能のコマンドと文書編集機能のコマンドとが、概念的に類似する機能同士で同一の入力キーに割り当て、利用者になじみやすい操作法を実現させた技術（例えば、特許文献１参照。）や、互いに関連を有する複数のキーをキーボードに配列された所定のキーに関連を持って割りつけることのできるデータ入力装置に関する技術（例えば、特許文献２参照。）、リモコンユニットを使用して、ＤＶＤプレイヤーと同様の操作でコンピュータ上のビデオ再生を簡単に制御することができるビデオ再生制御技術（例えば、特許文献３参照。）が開示されている。
【０００６】
【特許文献１】
特開平５−２５７４６６号公報  （第１−２頁、第６頁）
【０００７】
【特許文献２】
昭６２−５２６２７号公報  （第１−２頁、第１０頁）
【０００８】
【特許文献３】
特開平１０−８５０６０号公報  （第１−３頁）
【０００９】
【発明が解決しようとする課題】
しかしながら上述したような、従来のキーボード上へのショートカット・キー割り付け方式では、必ずしも十分に使い易い操作性とは言えない状況であった。すなわち、これらの代替操作には、ＡＶ専用機器との操作非互換の問題や、ＡＶ専用機器の操作性ほど直感的でないという欠点や、パソコン用ＯＳ標準添付ソフトウェア群との操作非互換という欠点もあった。
【００１０】
また、近年、重要視され始めてきたユニバーサル・デザインの観点からも、マウスを前提とした操作方法では上肢障害者、視覚障害者等のキーボード・オンリー・ユーザが操作できないという問題や、キーボードによる代替操作を提供する場合にも２つ以上のキーを同時押下するニモニック・キー操作では上肢障害者には操作困難であるという問題があった。この延長線上には、各キーへの機能割り付けがキーボード全体に分散している為、上肢障害者を含むユーザが頻繁に手の位置を移動しながら操作しなければならず、キーボードによる代替操作をより困難なものにしているという問題もあった。
【００１１】
更に、ノート型パソコンのユーザにとっては、マウスの多用を前提とするユーザ・インタフェースは必ずしも使い易いものとは言えない、という問題も存在していた。
なお、特開平５−２５７４６６号公報に記述された技術では、楽譜編集装置をユーザになじみやすい操作法で実現されているが、キーの位置はキーボードの種類に依存するため、楽譜編集プログラムはキーボードの種類に応じて変更が必要となる。また、昭６２−５２６２７号公報に記述された技術では、予め定めたキーを近い位置にまとめてキーボード上に配列することが可能となるが、キーの刻印から直感的に連想可能となるような機能割り付けとはなっていない。
【００１２】
また、特開平１０−８５０６０号公報に記述された技術では、リモコンユニットを使用してＤＶＤプレイヤーと同様な操作でコンピュータ上のビデオ再生が可能となるが、リモコンユニットが必要となるため、リモートコントローラ、リモコンドライバの開発も必要となる。
本発明は、上記のような事情に鑑みて提案されたものであり、パソコン用標準キーボードのみを用いて上肢障害者、視覚障害者等のキーボード・オンリー・ユーザに対しても操作性のよい動画映像再生方法、動画映像再生装置、及び動画映像再生プログラムの提供を可能とすることを目的としている。
【００１３】
【課題を解決するための手段】
図１は、本発明実施の形態１の全体構成図を示すものである。本発明の動画映像再生プログラム１０は動画映像再生装置１上で実行するプログラムであり、キーボード、マウスなどを備えた事象入力装置・表示装置３から利用者が入力するマウス移動事象、キーボード操作事象、ユーザ・インタフェース・オブジェクト操作事象を含む事象入力情報を取得する事象取得手段１１１と、事象毎に対応した処理を行う事象処理手段１１４と、ＡＶ機器の操作ボタンと１対１に対応付けたキーボード操作事象をマウス移動事象、またはユーザ・インタフェース・オブジェクト操作事象に変換する事象変換手段１１３と、前記マウス移動事象、またはユーザ・インタフェース・オブジェクト操作事象を、前記事象情報と各事象に対応した処理を行うステップとの対応付けに基づき、前記事象入力情報で指示された事象の処理を行う事象処理手段を呼び出す事象識別手段１１２として機能するものである。
【００１４】
具体的には、１打鍵で処理を起動する処理ルーチンをキーボード上の機能キーに対して設定したディスパッチテーブルを備え、キー入力されると前記ディスパッチテーブルを検索し、該当するキーが登録されていた場合には該当する処理ルーチンを実行させることにより標準的なパソコンに装備されているキーボード上のキーを用いて上肢障害者、視覚障害者等のキーボード・オンリー・ユーザに対しても操作性のよい動画映像再生装置の提供が可能となる。
【００１５】
また、例えば、「一時停止／再開」事象をＰａｕｓｅ  キー、「早送り」事象を→キー、「巻き戻し」事象を←キーに割り付けるなど、前記ディスパッチテーブルに登録する処理ルーチンは、前記機能キーの刻印の語義と近い処理内容の処理ルーチンを設定することを特徴とすることにより、より操作性のよい動画映像再生装置の提供が可能となる。
【００１６】
【発明の実施の形態】
図１は本発明の実施の形態１の全体構成図が示してある。本発明の動画映像再生プログラム１０は動画映像再生装置１上で実行するプログラムである。動画映像再生プログラム１０はユーザインタフェースに関する処理を行うＵＩ制御系１１と通信ネットワーク４を介してサーバ５上にあるストリーミングモードの動画映像などを再生する処理を行う再生処理系１２とに分かれる。今回の発明は、動画映像再生プログラム１０のＵＩ制御系１１に関したものである。再生処理系１２については、従来の動画映像再生プログラム１０のものと変わるところはない。
【００１７】
事象取得手段１１１はキーボード、マウスなどを備えた事象入力装置・表示装置３から利用者が入力するマウス移動事象、キーボード操作事象、ユーザ・インタフェース・オブジェクト操作事象を含む事象入力情報を取得し、事象処理手段１１４は例えば「早送り」処理や「巻き戻し」処理など事象毎に対応した処理を行う。
【００１８】
事象変換手段１１３は、ＡＶ機器の操作ボタンと１対１に対応付けたキーボード操作事象をマウス移動事象、またはユーザ・インタフェース・オブジェクト操作事象に変換し、事象識別手段１１２はマウス移動事象、またはユーザ・インタフェース・オブジェクト操作事象を、事象情報と各事象に対応した処理を行うステップとの対応付けを示した事象ディスパッチテーブル２１を参照して、事象入力情報で指示された事象の処理を行う事象処理手段１１４を呼び出す。なお、ユーザ・インタフェース・オブジェクトの処理を行う場合、事象処理手段１１４は、図２で示すようなＵＩオブジェクト管理テーブル２２を参照して処理を行う。
【００１９】
再生処理系１２は、従来のものと変わらないため詳細は省略する。制御部１２１は再生処理系１２全体の制御を行い、通信部１２２は通信ネットワーク４を介して外部との通信を司り、復号部１２２は圧縮されたコンテンツの復号を行い、表示部１２４は復号されたコンテンツを表示装置３に表示するものである。なお、本実施例では動画映像再生装置を例にして説明しているが、本発明は音声データ再生装置にも適用することが可能である。
【００２０】
図２は、ＵＩ（ユーザ・インタフェース）オブジェクト管理テーブルの例が示してある。ＵＩオブジェクト管理テーブルには、各ユーザ・インタフェース・オブジェクトのアドレスが設定されており、各ユーザ・インタフェース・オブジェクトには、ユーザ・インタフェース・オブジェクトの識別子であるハンドル、オブジェクトの位置、縦横のサイズ、事象タイプ毎の背景ビットマップ、事象タイプ毎のオブジェクトビットマップが格納されている。
【００２１】
なお、ユーザ・インタフェース・オブジェクトは、操作パネル上の各種スイッチ類を示すボタン、スライダコントロールなど、画面を構成するＧＵＩの部品を指すものである。これらは入力処理を実行するオブジェクトであり、各オブジェクトを識別するハンドル、位置、サイズ、で管理されている。
図３は、ディスパッチテーブル例が示してある。従来は、画面上のボタンクリック操作に対するディスパッチテーブル、ニモニックキー操作に対するディスパッチテーブルは存在していた。本発明では、さらにパソコン用標準キーボードのみを用いて上肢障害者、視覚障害者等のキーボード・オンリー・ユーザに対しても操作性のよい動画映像再生方法、動画映像再生装置、及び動画映像再生プログラムの提供を可能とするために、機能キー操作に対するディスパッチテーブルを新たに追加した。
【００２２】
機能キー操作ディスパッチテーブルには、早送りを表す「→」キーや、巻き戻しを表す「←」キー（従来は、動作を伴わなかったキー）等に対する早送り処理ルーチン、巻き戻し処理ルーチン等のコールバックルーチンとの対応関係が格納されている。なお、ディスパッチテーブルには、それぞれのキーとキーが表す操作（処理ルーチン）との対応関係を格納しておき、処理ルーチンのエントリアドレスを示す他のテーブルを参照してディスパッチするようにしても、各ディスパッチテーブルには、操作に対する処理ルーチンのエントリアドレスを直接格納するようにしておいても良い。
【００２３】
図４は、各事象処理ルーチンへのディスパッチ処理の流れを示すフローチャートが示してある。事象入力装置３から、ユーザによって事象が入力されると、動画映像再生プログラム１０は、事象入力情報を解析し（Ｓ４０１）、入力された事象の識別子から画面描画事象、マウス移動事象、キーボード操作事象、ユーザ・インタフェース・オブジェクト操作事象のいずれかであるかを判定する（Ｓ４０２）。
【００２４】
画面描画事象であれば、画面描画事象発生時の処理ルーチンへ分岐し（Ｓ４０３）、マウス移動事象の場合は、マウス移動事象発生時の処理ルーチンへ分岐し（Ｓ４０４）、キーボード操作事象の場合は、対象事象が、ＡＶ機器の操作ボタンの処理に割り当てられているかを、図４で示す機能キー操作ディスパッチテーブルに基づき判定し（Ｓ４０５）、割り当てられていない場合には、処理を終了し、次の事象入力を待つ。割り当てられている場合には、キーボード操作事象を対応するＵＩオブジェクト操作事象に変換し（Ｓ４０６）、事象配信処理を行う（Ｓ４０７）。ＵＩオブジェクト操作事象の場合は、対象のオブェクトを検索し（Ｓ４０８）、事象配信処理を行う（Ｓ４０９）。
【００２５】
なお、画面描画事象発生時の処理、マウス移動事象発生時の処理については従来の動画映像再生プログラムの処理と変わるところがないため詳細は省略する。以上の処理を行うことにより、キーボード操作事象が従来のＵＩオブジェクト操作事象発生時の処理にマッピングされ、図５で示すように標準的なキーボード上のキーにＡＶ機器の操作ボタンを割り付けることにより、キーボードのキーを用いてワンタッチでＡＶ機器の操作ボタン相当の操作が可能となる。
【００２６】
図５は、標準的なキーボード上のキーにＡＶ機器の操作ボタンを割り付けた例である。このキー割り当てによれば、動画映像再生ソフトウェアの基本機能の全てがパソコン用標準キーボード上の単独キー押下で操作可能となっている。また、使用しているキーは、カーソル移動キーとその上部に配置された６  個の機能キー、及びその近傍に位置するＥｎｔｅｒ  キー、Ｐａｕｓｅ  キーの範囲となっている。この結果、手の位置の移動量を最小限に抑えることが可能となる。更に、拡張的な機能割り付けとして、スペース・キー及びデスクトップ型パソコンに標準装備されているテンキーでも一部の機能を操作可能として利便性を図るようにしている。
【００２７】
なお、各キーへの機能割り付けについては、（１）刻印の意味と機能とが適合するように配慮、（２）ＡＶ専用機器のリモコン・スイッチ／操作パネル上のボタンとの操作互換性に配慮、（３）パソコン用ＯＳやＯＳ標準添付ソフトウェアの機能キーの機能割り付けとの操作互換性に配慮したため、ユーザからみて直感的な操作を可能としており、学習・記憶・想起が無理なく可能なユーザ・インタフェースを実現している。
【００２８】
具体的なキー割り当て例は、以下の通りである。
再生開始／再生終了        Ｅｎｔｅｒ  、スペース
一時停止／再開            Ｐａｕｓｅ
早送り                    →
巻き戻し                  ←
次のシーン                    Ｐａｇｅ  Ｄｏｗｎ
前のシーン                Ｐａｇｅ  Ｕｐ
コンテンツの末尾へ        Ｅｎｄ
コンテンツの先頭へ        Ｈｏｍｅ
繰り返し再生／演奏        Ｉｎｓｅｒｔ
音量を大きく              ↑、    ＋（１０  キー）
音量を小さく              ↓、    −（１０  キー）
ミュートのオン／オフ      Ｄｅｌｅｔｅ、０（１０キー）
以上により、ユーザは単独キー操作で当該ソフトウェアの基本機能の全てを指示可能となり、ＡＶ専用機器のリモコン・スイッチや、パソコン用ＯＳやＯＳ標準添付ソフトウェア等との操作互換性に従いつつ、キートップ上の刻印からも機能が連想し易いように割り付けられた機能キーの機能を、容易に学習・記憶・想起できるようになり、手の位置を動かす事なく上記の全てのキー操作が可能になるため、以下のような効果が生まれる。
Ａ  ）上肢障害者を含むユーザは、単独キーのワンタッチ操作（単独押下）で動画映像再生ソフトウェアの基本機能の全てを操作・指示できるようになる。
Ｂ  ）しばらくの間、当該ソフトウェアを使用していなかったユーザがいたとしても、機能キーの機能割り付けを忘れにくくし、また、たとえ忘れた場合にも少しの試行錯誤の後、直ちに各キーへの機能割り付けを思い出し易くする効果が期待できる。
Ｃ  ）上肢障害者を含むユーザは、最小限の手の位置の移動で動画映像再生ソフトウェアの基本機能の全てを操作・指示できるようになる。
【００２９】
（付記１）  事象入力装置からマウス移動事象、キーボード操作事象、ユーザ・インタフェース・オブジェクト操作事象を含む事象入力情報を取得する事象取得手段と、
事象毎に対応した処理を行う事象処理手段と
ＡＶ機器の操作ボタンと１対１に対応付けたキーボード操作事象をマウス移動事象、またはユーザ・インタフェース・オブジェクト操作事象に変換する事象変換手段と、
前記マウス移動事象、またはユーザ・インタフェース・オブジェクト操作事象を、前記事象情報と各事象に対応した処理を行うステップとの対応付けに基づき、前記事象入力情報で指示された事象の処理を行う事象処理手段を呼び出す事象識別手段と、
してコンピュータを機能させる動画映像再生プログラム。
【００３０】
（付記２）  １打鍵で処理を起動する処理ルーチンをキーボード上の機能キーに対して設定したディスパッチテーブルを備え、
キー入力されると前記ディスパッチテーブルを検索し、該当するキーが登録されていた場合には該当する処理ルーチンを実行する事象処理手段と、
してコンピュータを機能させる画像または音声データ再生プログラム。
【００３１】
（付記３）  前記ディスパッチテーブルに登録する処理ルーチンは、前記機能キーの刻印の語義と近い処理内容の処理ルーチンを設定することを特徴とする付記２記載の画像または音声データ再生プログラム。
（付記４）  事象入力装置からマウス移動事象、キーボード操作事象、ユーザ・インタフェース・オブジェクト操作事象を含む事象入力情報を取得する事象取得手段と、
事象毎に対応した処理行う事象処理手段と
ＡＶ機器の操作ボタンと１対１に対応付けたキーボード操作事象をマウス移動事象、またはユーザ・インタフェース・オブジェクト操作事象に変換する事象変換手段と、
前記マウス移動事象、またはユーザ・インタフェース・オブジェクト操作事象を、前記事象情報と各事象に対応した処理を行うステップとの対応付けに基づき、前記事象入力情報で指示された事象の処理を行う事象処理手段を呼び出す事象識別手段と、
を有することを特徴とする動画映像再生装置。
【００３２】
（付記５）  事象入力装置からマウス移動事象、キーボード操作事象、ユーザ・インタフェース・オブジェクト操作事象を含む事象入力情報を取得する事象取得手段と、
事象毎に対応した処理行う事象処理手段と
ＡＶ機器の操作ボタンと１対１に対応付けたキーボード操作事象をマウス移動事象、またはユーザ・インタフェース・オブジェクト操作事象に変換する事象変換手段と、
前記マウス移動事象、またはユーザ・インタフェース・オブジェクト操作事象を、前記事象情報と各事象に対応した処理を行うステップとの対応付けに基づき、前記事象入力情報で指示された事象の処理を行う事象処理手段を呼び出す事象識別手段と、
してコンピュータを機能させる動画映像再生プログラムを記録したコンピュータ読み取り可能な記録媒体。
【００３３】
（付記６）  事象入力装置からマウス移動事象、キーボード操作事象、ユーザ・インタフェース・オブジェクト操作事象を含む事象入力情報を取得するステップと、
事象毎に対応した処理行う複数のステップと
ＡＶ機器の操作ボタンと１対１に対応付けたキーボード操作事象をマウス移動事象、またはユーザ・インタフェース・オブジェクト操作事象に変換するステップと、
前記マウス移動事象、またはユーザ・インタフェース・オブジェクト操作事象を、前記事象情報と各事象に対応した処理を行うステップとの対応付けに基づき、前記事象入力情報で指示された事象の処理を行うステップを呼び出すステップと、
を有することを特徴とする動画映像再生方法。
【００３４】
【発明の効果】
上肢障害者、視覚障害者等のキーボード・オンリー・ユーザに対しても操作性のよい動画映像再生方法、動画映像再生装置および動画映像再生プログラムの提供が可能となる。
【図面の簡単な説明】
【図１】実施の形態１の全体構成図
【図２】ＵＩオブジェクト管理テーブル例
【図３】ディスパッチテーブル例
【図４】各事象処理ルーチンへのディスパッチ処理
【図５】標準的なキーボード上のキーにＡＶ機器の操作ボタンを割り付けた例
【符号の説明】
１  動画映像再生装置
２  外部記憶装置
３  事象入力装置・表示装置
４  通信ネットワーク
５  サーバ
１０  動画映像再生プログラム
１１  ＵＩ制御系
１２  再生処理系
２１  事象ディスパッチテーブル
２２  ＵＩオブジェクト管理テーブル
２３  再生状態管理テーブル
１１１  事象取得手段
１１２  事象識別手段
１１３  事象変換手段
１１４  事象処理手段
１２１  制御部
１２２  通信部
１２３  復号部
１２４  表示部
【図１】
2004348244.tif 000003
【図２】
2004348244.tif 000004
【図３】
2004348244.tif 000005
【図４】
2004348244.tif 000006
【図５】
2004348244.tif 000007